(57)【要約】【課題】適切な時間で暖機を行うことが可能となる分析装置、及び、当該分析装置の暖機判定方法を提供する。【解決手段】分光光度計１は、制御部４５を備えている。制御部４５には、暖機判定部４５２が含まれる。暖機判定部４５２は、光源部からの光を試料で透過又は反射させずに光検出部７により検出したときの所定期間における検出信号の変動量に基づいて、暖機の完了を判定する。具体的には、暖機判定部４５２は、所定期間が経過した時点での光検出部７の信号強度と、前回の光検出部７の信号強度との差を算出し、その値が第１閾値未満になった場合に、暖機の完了を判定する。そのため、ユーザの判断によることなく、暖機判定部４５２により暖機完了を自動的に判定できる。【選択図】  図２
2019113479.tif 000002
【特許請求の範囲】
【請求項１】
試料に光を照射する光源部と、
前記光源部により光が照射された試料からの透過光又は反射光を検出する光検出部と、
前記光源部からの光を試料で透過又は反射させずに前記光検出部により検出したときの所定期間における検出信号の変動量に基づいて、暖機の完了を判定する暖機判定部とを備えることを特徴とする分析装置。
【請求項２】
前記暖機判定部は、前記所定期間に前記光源部に入力される電圧又は電流の変動量に基づいて、暖機の完了を判定することを特徴とする請求項１に記載の分析装置。
【請求項３】
前記光源部からの光を分光する分光器と、
前記分光器の温度を検出する温度検出部とをさらに備え、
前記暖機判定部は、前記所定期間に前記温度検出部により検出される温度の変動量に基づいて、暖機の完了を判定することを特徴とする請求項１又は２に記載の分析装置。
【請求項４】
前記暖機判定部は、前記所定期間における判定を複数回繰り返して行うことを特徴とする請求項１〜３のいずれか一項に記載の分析装置。
【請求項５】
前記暖機判定部により前記所定期間における判定が行われたときの前記検出信号の変動量に基づいて、前記暖機判定部の次の判定における前記所定期間を決定する期間決定部をさらに備えることを特徴とする請求項４に記載の分析装置。
【請求項６】
暖機の完了の目安となる基準時間を記憶する記憶部と、
前記基準時間に近づくほど短い期間となるように前記所定期間を決定する期間決定部とをさらに備えることを特徴とする請求項４に記載の分析装置。
【請求項７】
前記光源部は、重水素ランプからなる第１光源、及び、タングステンランプからなる第２光源を含み、
前記第１光源又は前記第２光源からの光を選択的に切り替えて前記光検出部に入射させる光源切替部をさらに備え、
前記所定期間においては、前記第１光源からの光が前記光検出部により検出されることを特徴とする請求項１〜６のいずれか一項に記載の分析装置。
【請求項８】
試料に光を照射する光源部と、前記光源部により光が照射された試料からの透過光又は反射光を検出する光検出部とを備える分析装置の暖機判定方法であって、
前記光源部からの光を試料で透過又は反射させずに前記光検出部により検出したときの所定期間における検出信号の変動量に基づいて、暖機の完了を判定することを特徴とする暖機判定方法。
【発明の詳細な説明】
【技術分野】
【０００１】
本発明は、試料に光を照射する光源部と、当該光源部により光が照射された試料からの透過光又は反射光を検出する光検出部とを備える分析装置、及び、当該分析装置の暖機判定方法に関するものである。
【背景技術】
【０００２】
従来より、光を試料に照射し、試料からの光を測定して分析を行う分析装置が利用されている。このような分析装置は、光源部と、光源部により光が照射された試料からの透過光又は反射光を検出する光検出部とを備えており、光検出部からの検出信号に基づいて分析が行われる（例えば、下記特許文献１参照）。
【０００３】
この種の分析装置では、光源部として、例えば、重水素ランプ（Ｄ２ランプ）や、タングステンランプ（ＷＩランプ）などが用いられる。これらのランプは、装置の電源をオンした後、揺らぎなどが安定するまでにある程度の時間が必要となる。そのため、分析装置では、装置の電源をオンした後に、一定時間暖機が行われ（一定時間待機状態となり）、その後に、分析動作が開始される。
【先行技術文献】
【特許文献】
【０００４】
【特許文献１】特開２０１２−３２３０７号公報
【発明の概要】
【発明が解決しようとする課題】
【０００５】
上記した従来の分析装置では、暖機時間（待機時間）が適切でないため、分析動作開始までの時間が長くなって、光源が必要以上に消耗するといった不具合や、測定精度が低下するという不具合が生じていた。
【０００６】
具体的には、従来の分析装置において暖機を行う場合には、ユーザが暖機時間を判断していた。そのため、実際には暖機が完了していても、ユーザが暖機未完了と判断し、その後も暖機を継続する結果、光源の消耗が進んでしまうという不具合が生じていた。また、暖機が完全に完了していないのに、ユーザが暖機完了と判断し、光源が安定してない状態で分析動作が開始された結果、測定結果の精度が低くなってしまうという不具合が生じていた。
【０００７】
本発明は、上記実情に鑑みてなされたものであり、適切な時間で暖機を行うことが可能となる分析装置、及び、当該分析装置の暖機判定方法を提供することを目的とする。
【課題を解決するための手段】
【０００８】
（１）本発明に係る分析装置は、光源部と、光検出部と、暖機判定部とを備える。前記光源部は、試料に光を照射する。前記光検出部は、前記光源部により光が照射された試料からの透過光又は反射光を検出する。前記暖機判定部は、前記光源部からの光を試料で透過又は反射させずに前記光検出部により検出したときの所定期間における検出信号の変動量に基づいて、暖機の完了を判定する。
【０００９】
このような構成によれば、暖機判定部によって、光検出部の検出信号の変動量に基づいて、暖機の完了が判定される。
そのため、ユーザの判断によることなく、暖機判定部により暖機完了を自動的に判定できる。そして、暖機判定部により暖機完了が判定されたことに基づいて、分析装置において分析動作を開始させれば、適切な時間だけ暖機を行った分析装置を用いて分析を行うことができる。
このように、本発明に係る分析装置によれば、適切な時間で暖機を行うことが可能となる。
【００１０】
（２）また、前記暖機判定部は、前記所定期間に前記光源部に入力される電圧又は電流の変動量に基づいて、暖機の完了を判定してもよい。
【００１１】
このような構成によれば、暖機判定部は、光検出部の検出信号の変動量に加えて、光源部に入力される電圧又は電流の変動量に基づいて、暖機の完了を判定する。
そのため、暖機判定部による暖機完了の判定精度を向上できる。
【００１２】
（３）また、前記分析装置は、分光器と、温度検出部とをさらに備えてもよい。前記分光器は、前記光源部からの光を分光する。前記温度検出部は、前記分光器の温度を検出する。前記暖機判定部は、前記所定期間に前記温度検出部により検出される温度の変動量に基づいて、暖機の完了を判定してもよい。
【００１３】
このような構成によれば、暖機判定部は、光検出部の検出信号の変動量に加えて、温度検出部により検出される分光器の温度の変動量に基づいて、暖機の完了を判定する。
そのため、暖機判定部による暖機完了の判定精度を向上できる。
【００１４】
（４）また、前記暖機判定部は、前記所定期間における判定を複数回繰り返して行ってもよい。
【００１５】
このような構成によれば、暖機判定部による暖機完了の判定精度を一層向上できる。
【００１６】
（５）また、前記分析装置は、期間決定部をさらに備えてもよい。前記期間決定部は、前記暖機判定部により前記所定期間における判定が行われたときの前記検出信号の変動量に基づいて、前記暖機判定部の次の判定における前記所定期間を決定してもよい。
【００１７】
このような構成によれば、期間決定部によって、検出信号の変動量に応じて、暖機判定部の次の判定における所定期間を適切に決定できる。例えば、期間決定部によって、検出信号の変動量が大きい場合には、暖機判定部の次の判定における所定期間を長くするように決定し、検出信号の変動量が小さい場合には、暖機判定部の次の判定における所定期間を短くするように決定すれば、所定期間の時間を適切に保つことができる。
【００１８】
（６）また、前記分析装置は、記憶部と、期間決定部とをさらに備えてもよい。前記記憶部は、暖機の完了の目安となる基準時間を記憶する。前記期間決定部は、前記基準時間に近づくほど短い期間となるように前記所定期間を決定する。
【００１９】
このような構成によれば、期間決定部によって、暖機判定部の次の判定における所定期間を適切に決定できる。
【００２０】
（７）また、前記光源部は、重水素ランプからなる第１光源、及び、タングステンランプからなる第２光源を含んでもよい。前記分析装置は、前記第１光源又は前記第２光源からの光を選択的に切り替えて前記光検出部に入射させる光源切替部をさらに備えてもよい。前記所定期間においては、前記第１光源からの光が前記光検出部により検出されてもよい。
【００２１】
一般的に、装置の電源がオンされてから重水素ランプが安定するまでの時間は、装置の電源がオンされてからタングステンランプが安定するまでの時間よりも長い。
【００２２】
上記した構成によれば、暖機判定部は、重水素ランプからなる第１光源からの光を光検出部により検出したときの検出信号の変動量に基づいて、暖機の完了を判定する。すなわち、暖機判定部は、安定するまでの時間が長い第１光源からの光による光検出部の検出信号の変動量に基づいて、暖機の完了を判定する。
そのため、暖機判定部による暖機完了の判定精度を向上できる。
なお、第１光源（重水素ランプ）では、紫外光が出ているため、第１光源の光を長時間照射すると光学素子の劣化を速める恐れがある。そのため、通常は切替ミラーを第２光源側にしておき、一定期間ごとに訪れる暖気判定の際のみ、第１光源（重水素ランプ）へ光源を切り替えて測定を行い、測定後再度第２光源側に切り替えるようにしてもよい。
【００２３】
（８）また、本発明に係る暖機判定方法は、試料に光を照射する光源部と、前記光源部により光が照射された試料からの透過光又は反射光を検出する光検出部とを備える分析装置の暖機判定方法である。前記暖機判定方法では、前記光源部からの光を試料で透過又は反射させずに前記光検出部により検出したときの所定期間における検出信号の変動量に基づいて、暖機の完了を判定する。
【発明の効果】
【００２４】
本発明によれば、暖機判定部によって、光検出部の検出信号の変動量に基づいて、暖機の完了が判定される。そのため、ユーザの判断によることなく、暖機判定部により暖機完了を自動的に判定できる。その結果、適切な時間で暖機を行うことが可能となる。
【図面の簡単な説明】
【００２５】
【図１】本発明の第１実施形態に係る分光光度計の構成例を示した概略図である。
【図２】図１の分光光度計の制御部、及び、その周辺の部材の電気的構成を示したブロック図である。
【図３】図２の制御部の制御動作の一例を示したフローチャートである。
【図４】図１の光検出部の検出信号の信号強度の経時的変化を示したグラフである。
【図５】本発明の第２実施形態に係る分光光度計の制御部、及び、その周辺の部材の電気的構成を示したブロック図である。
【図６】本発明の第３実施形態に係る分光光度計の制御部、及び、その周辺の部材の電気的構成を示したブロック図である。
【発明を実施するための形態】
【００２６】
１．分光光度計の全体構成
図１は、本発明の第１実施形態に係る分光光度計１の構成例を示した概略図である。分光光度計１は、紫外領域、可視領域及び近赤外領域の光（測定光）を用いる分光光度計である。分光光度計１は、光源部２と、光源切替部３と、分光器４と、試料室５と、光検出部７とを備えている。
光源部２は、測定光を出射するためのものであって、第１光源２１と、第２光源２２とを備えている。
【００２７】
第１光源２１は、重水素ランプ（Ｄ２ランプ）からなる。第２光源２２は、タングステンランプ（ＷＩランプ）からなる。第１光源２１と第２光源２２とは、互いに間隔を隔てて配置されている。
光源切替部３は、光源部２と間隔を隔てて配置されている。光源切替部３は、第１光源２１又は第２光源２２からの光を選択的に切り替えて光検出部７に入射させるためのものである。光源切替部３は、回転部３１と、切替ミラー３２とを備えている。
【００２８】
回転部３１は、円板状に形成されている。回転部３１は、軸線Ｌを中心として回動可能に構成されている。回転部３１は、駆動力が付与されることにより、所定の回転角度で回転する。
【００２９】
切替ミラー３２は、回転部３１上に設けられている。切替ミラー３２は、その反射面３２１が凹状に形成される凹面鏡である。切替ミラー３２の反射面３２１は、光源部２と対向している。
【００３０】
分光器４は、光源部２に対して、光源切替部３と反対側に配置されている。分光器４は、光源部２からの光を分光するためのものである。図示しないが、分光器４には、不要な高次光をカットするためのフィルタ、及び、特定波長を光を取り出すための回折格子が設けられており、さらに、光を通過させるためのスリットが形成されている。
【００３１】
試料室５は、分光器４と間隔を隔てて配置されている。試料室５内には、試料セル６が配置されている。試料セル６は、試料（図示せず）を保持している。図示しないが、試料室５には、光を通過させるためのスリットが形成されている。
光検出部７は、試料室５と間隔を隔てて配置されている。光検出部７は、入射する光を検出するとともに、光の強度に応じた信号を出力する。
【００３２】
分光光度計１を用いて分析を行う場合には、まず、光源切替部３が動作される。具体的には、回転部３１が回転されて、切替ミラー３２の反射面３２１の角度が調整される。そして、第１光源２１及び第２光源２２のうち、いずれか一方からの光が選択的に反射されて、分光器４に入射する。
【００３３】
分光器４に入射した光は、分光器４内の回折格子によって各波長の光に分光される。そして、分光された特定の波長の光のみが、分光器４から出射される。分光器４外に出射された光は、試料室５内に入射し、試料セル６（試料）を照射する。
そして、試料セル６（試料）で透過した後の光（透過光）、又は、試料セル６（試料）で反射した後の光（反射光）が、光検出部７によって検出される。
【００３４】
光検出部７は、検出した光に応じて検出信号を出力する。分光光度計１では、光検出部７からの検出信号に基づいて、スペクトルが作成される。そして、作成されたスペクトルに基づいて、試料の分析が行われる。
【００３５】
分光光度計１において、上記した分析動作が行われる場合には、安定した測定結果を得るために、事前に暖機が行われる。分光光度計１では、この暖機を適切な時間で行うために、以下の構成を備えており、さらに、以下の制御動作を行っている。
【００３６】
２．制御部及びその周辺の部材の電気的構成
図２は、制御部４５及びその周辺の部材の電気的構成を示したブロック図である。
分光光度計１は、上記した光検出部７に加えて、入力値検出部４１、温度検出部４２、駆動部４３、表示部４４及び制御部４５などを電気的構成として備えている。
【００３７】
入力値検出部４１は、光源部２に入力される電圧又は電流の値を検出する。
温度検出部４２は、分光器４内に設けられている（図１参照）。温度検出部４２は、例えば、温度センサであって、分光器４内の温度を検出するように構成されている。
【００３８】
駆動部４３は、例えば、モータであって、光源切替部３の回転部３１（図１参照）に駆動力を付与するように構成されている。
表示部４４は、例えば、液晶表示器などにより構成される。
【００３９】
制御部４５は、例えば、ＣＰＵ（Central Processing Unit）を含む構成である。制御部４５には、光検出部７、入力値検出部４１、温度検出部４２、駆動部４３及び表示部４４などが電気的に接続されている。制御部４５は、ＣＰＵがプログラムを実行することにより、切替動作制御部４５１、暖機判定部４５２及び表示処理部４５３などとして機能する。
【００４０】
切替動作制御部４５１は、駆動部４３の動作を制御する。
暖機判定部４５２は、切替動作制御部４５１の制御動作に応じて、分光光度計１の暖機の完了の判定を開始する。また、暖機判定部４５２は、光検出部７、入力値検出部４１及び温度検出部４２の検出結果に基づいて、分光光度計１の暖機の完了を判定する。
表示処理部４５３は、暖機判定部４５２の判定結果に基づいて、表示部４４に暖機完了の旨を表示させる処理を行う。
【００４１】
３．制御部の制御動作
図３は、制御部４５の制御動作の一例を示したフローチャートである。図３では、分光光度計１において暖機動作を行う際の制御の流れが示されている。
【００４２】
分光光度計１では、試料室５内に試料セル６がセットされない（試料が配置されない）状態で暖機が行われる。分光光度計１において、試料室５内に試料セル６がセットされない状態で、電源がオンされると（ステップＳ１０１でＹＥＳ）、切替動作制御部４５１によって、駆動部４３の駆動動作が制御されて、回転部３１が所定の位置（回転位置）に変位する。具体的には、切替動作制御部４５１は、第１光源２１（Ｄ２ランプ）からの光が切替ミラー３２で反射して分光器４に入射するように、駆動部４３の駆動動作を制御して回転部３１を所定の位置に変位させる。すなわち、切替動作制御部４５１により、光源部２の測定光が第１光源２１からの光に切替えられる（ステップＳ１０２）。
【００４３】
暖機判定部４５２は、電源がオンされた後、所定期間が経過するたびに（ステップＳ１０３でＹＥＳ）、光検出部７の検出信号の信号強度の値、光源部２に入力される電圧又は電流の値、及び、温度検出部４２が検出する温度の値を抽出する。そして、暖機判定部４５２は、これらの値に基づいて、分光光度計１における暖機が完了したか否かの判定を行う。
【００４４】
図４は、光検出部７の検出信号の信号強度の経時的変化を示したグラフである。図４では、分光光度計１において電源がオンされた直後からの光検出部７の信号強度の経時的変化が示されている。
【００４５】
図４に示すように、分光光度計１において電源がオンされた直後は、光検出部７の検出信号の信号強度の増加割合は大きく、時間の経過とともに、光検出部７の検出信号の信号強度の増加割合が小さくなっている。そして、時間ｔの後は、光検出部７の検出信号の信号強度が、ほぼ一定となっている。このように、光検出部７の検出信号の信号強度は、分光光度計１において電源がオンされた直後は安定せず、時間の経過とともに徐々に安定し、時間ｔの後は、安定した状態を保っている。
【００４６】
なお、図示しないが、光源部２に入力される電圧又は電流の値、及び、温度検出部４２が検出する温度の値も、上記した光検出部７の検出信号の信号強度と同じように変化する。具体的には、光源部２に入力される電圧又は電流の値、及び、温度検出部４２が検出する温度の値のそれぞれは、分光光度計１において電源がオンされた直後は、大きい増加割合で増加し、時間の経過とともに、その増加割合が小さくなり、その後、ほぼ一定になるように変化する。すなわち、図示しないが、光源部２に入力される電圧又は電流の値の経時変化を示すグラフ、及び、温度検出部４２が検出する温度の値の経時変化を示すグラフのそれぞれは、図４のグラフと同様の曲線を描く。
【００４７】
暖機判定部４５２は、まず、抽出した光検出部７の信号強度の変動量に基づいて、暖機が完了したか否かの判定（第１判定）を行う。
具体的には、暖機判定部４５２は、所定期間が経過した時点での光検出部７の信号強度と、前回（一定時間前の時点）の光検出部７の信号強度との差を算出し、その値が第１閾値未満であるか否かを判定する。図４では、暖機判定部４５２が光検出部７の信号強度を抽出するタイミングが、グラフ上の点で示されている。すなわち、図４のグラフ上の点と点との間の時間が所定期間である。この例では、所定期間は、一定である。
【００４８】
そして、所定期間が経過した時点での光検出部７の信号強度と、前回（一定時間前の時点）の光検出部７の信号強度との差（光検出部７の信号強度の変動量）が第１閾値未満になった場合には（ステップＳ１０４でＹＥＳ）、暖機判定部４５２は、さらに、入力値検出部４１が検出する光源部２の電圧又は電流の値に基づいて、暖機が完了したか否かの判定（第２判定）を行う。
【００４９】
具体的には、暖機判定部４５２は、所定期間が経過した時点における、光源部２に入力される電圧又は電流の値と、前回（一定時間前の時点）における、光源部２に入力される電圧又は電流の値との差を算出し、その値が第２閾値未満であるか否かを判定する。そして、この差が第２閾値未満になった場合には（ステップＳ１０５でＹＥＳ）、暖機判定部４５２は、さらに、温度検出部４２が検出する分光器４内の温度の値に基づいて、暖機が完了したか否かの判定（第３判定）を行う。
【００５０】
具体的には、暖機判定部４５２は、所定期間が経過した時点における、温度検出部４２の温度の値と、前回（一定時間前の時点）における、温度検出部４２の温度の値との差を算出し、その値が第３閾値未満であるか否かを判定する。そして、この差が第３閾値未満になった場合には（ステップＳ１０６でＹＥＳ）、暖機判定部４５２は、分光光度計１において暖機が完了したことを判定する。
【００５１】
このように、暖機判定部４５２は、ステップＳ１０４での判定（第１判定）、ステップＳ１０５での判定（第２判定）、及び、ステップＳ１０６での判定（第３判定）の全てで完了の判定をした場合に、分光光度計１における暖機が正しく完了したと判定する（ステップＳ１０７）。
【００５２】
そして、表示処理部４５３は、表示部４４に暖機が完了した旨を表示させる（ステップＳ１０８）。また、切替動作制御部４５１は、第２光源２２（ＷＩランプ）からの光が切替ミラー３２で反射して分光器４に入射するように、駆動部４３の駆動動作を制御して回転部３１を所定の位置に変位させる。すなわち、切替動作制御部４５１により、光源部２の測定光が第２光源２２からの光に切替えられる（ステップＳ１０９）。
この状態で、ユーザにより、試料室５内に試料セル６がセットされ、その後、分析動作が開始される。
【００５３】
なお、この例では、ステップＳ１０４での判定（第１判定）、ステップＳ１０５での判定（第２判定）、及び、ステップＳ１０６での判定（第３判定）のそれぞれにおいて、所定期間が経過した時点での測定値と、前回（一定時間前の時点）の測定値を含む直近の複数の測定値を用いて、暖機完了の判定を行ってもよい。例えば、ある時点での測定値と、その時点の前回の測定値との差が閾値未満となる状態が、複数回継続することに基づいて、暖機完了の判定を行ってもよい。
【００５４】
４．作用効果
（１）本実施形態によれば、図２に示すように、分光光度計１は、制御部４５を備えている。制御部４５には、暖機判定部４５２が含まれる。暖機判定部４５２は、光源部２（第２光源２２）からの光を試料で透過又は反射させずに光検出部７により検出したときの所定期間における検出信号の変動量に基づいて、暖機の完了を判定する（図３のステップＳ１０４）。具体的には、暖機判定部４５２は、所定期間が経過した時点での光検出部７の信号強度と、前回（一定時間前の時点）の光検出部７の信号強度との差を算出し、その値が第１閾値未満であるか否かを判定する。そして、その差が、第１閾値未満になった場合に、暖機の完了を判定する。
【００５５】
そのため、ユーザの判断によることなく、暖機判定部４５２により暖機完了を自動的に判定できる。そして、暖機判定部４５２により暖機完了が判定されたことに基づいて、分光光度計１において分析動作を開始させれば、適切な時間だけ暖機を行った分光光度計１を用いて分析を行うことができる。
すなわち、本実施形態の分光光度計１によれば、適切な時間で暖機を行うことが可能となる。
【００５６】
（２）また、本実施形態によれば、分光光度計１において、暖機判定部４５２は、光源部２に入力される電圧又は電流の変動量に基づいて、暖機の完了を判定する（図３のステップＳ１０５）。
【００５７】
すなわち、分光光度計１において、暖機判定部４５２は、光検出部７の検出信号の変動量に加えて、光源部２に入力される電圧又は電流の変動量に基づいて、暖機の完了を判定する。
そのため、暖機判定部４５２による暖機完了の判定精度を向上できる。
【００５８】
（３）また、本実施形態によれば、分光光度計１において、温度検出部４２が検出する温度の値の変動量に基づいて、暖機の完了を判定する（図３のステップＳ１０６）。
【００５９】
すなわち、分光光度計１において、暖機判定部４５２は、光検出部７の検出信号の変動量に加えて、温度検出部４２により検出される分光器４内の温度の変動量に基づいて、暖機の完了を判定する。
そのため、暖機判定部４５２による暖機完了の判定精度を向上できる。
【００６０】
（４）また、本実施形態によれば、暖機判定部４５２は、図３に示すように、所定期間が経過するたびに（ステップＳ１０３でＹＥＳ）、光検出部７の検出信号の信号強度の値、光源部２に入力される電圧又は電流の値、及び、温度検出部４２が検出する温度の値を抽出する。そして、暖機判定部４５２は、これらの値に基づいて、分光光度計１における暖機が完了したか否かの判定を行う。すなわち、暖機判定部４５２は、所定期間における判定を複数回繰り返して行う。
【００６１】
そのため、暖機判定部４５２による暖機完了の判定精度を一層向上できる。
【００６２】
（５）また、図１に示すように、分光光度計１において、光源部２は、重水素ランプからなる第１光源２１、及び、タングステンランプからなる第２光源２２を含んでいる。また、分光光度計１において、制御部４５は、切替動作制御部４５１を含んでいる。切替動作制御部４５１は、第１光源２１又は第２光源２２からの光を選択的に切り替えて光検出部７に入射させる。分光光度計１において暖機を行う際には、切替動作制御部４５１により、光源部２の測定光が第１光源２１からの光に切替えられる（図３のステップＳ１０２）。
【００６３】
一般的に、装置の電源がオンされてから重水素ランプが安定するまでの時間は、装置の電源がオンされてからタングステンランプが安定するまでの時間よりも長い。
【００６４】
本実施形態では、暖機判定部４５２は、重水素ランプからなる第１光源２１からの光を光検出部７により検出したときの検出信号の変動量に基づいて、暖機の完了を判定する。すなわち、暖機判定部４５２は、安定するまでの時間が長い第１光源２１からの光による光検出部７の検出信号の変動量に基づいて、暖機の完了を判定する。そして、暖機判定部４５２が暖機完了を判定したときには、第１光源２１及び第２光源２２の両方の動作が安定した状態となっている。
そのため、暖機判定部４５２による暖機完了の判定精度を向上できる。
【００６５】
５．第２実施形態
以下では、図５及び図６を用いて、本発明の他の実施形態について説明する。なお、第１実施形態と同様の構成については、上記と同様の符号を用いることにより説明を省略する。
図５は、本発明の第２実施形態に係る分光光度計１の制御部４５、及び、その周辺の部材の電気的構成を示したブロック図である。
【００６６】
上記した第１実施形態では、暖機判定部４５２が暖機完了を判定するタイミング（所定期間）は、予め定める一定時間ごとである。
対して、第２実施形態では、暖機判定部４５２が暖機完了を判定するタイミングは、前回の判定タイミングに基づいて決定される。
【００６７】
具体的には、第２実施形態では、制御部４５は、期間決定部４５４としても機能する。
期間決定部４５４は、暖機判定部４５２による判定が行われたときの光検出部７の検出信号の変動量に基づいて、暖機判定部４５２の次の判定のタイミング（次の判定までの所定期間）を決定する。
【００６８】
分光光度計１において、暖機が行われる際には、制御部４５により上記の制御動作と同様の制御動作が行われる。ここで、第２実施形態では、図３のステップＳ１０４〜Ｓ１０６でＮＯの場合には、期間決定部４５４により、暖機判定部４５２の次の判定のタイミング（次の判定までの所定期間）が決定される。
【００６９】
例えば、期間決定部４５４は、所定期間が経過した時点での光検出部７の信号強度と、前回（一定時間前の時点）の光検出部７の信号強度との差（光検出部７の信号強度の変動量）に対して、所定の係数を乗じた値に基づいて、次回の所定期間を決定する。そして、ステップ１０３では、期間決定部４５４が決定した期間が経過するか否かが判定される。
【００７０】
これにより、光検出部７の検出信号の変動量が大きい場合には、暖機判定部４５２の次の判定までの所定期間が長くなり、光検出部７の検出信号の変動量が小さい場合には、暖機判定部４５２の次の判定までの所定期間が短くなる。
【００７１】
このように、第２実施形態によれば、分光光度計１の制御部４５は、期間決定部４５４を含む。そして、期間決定部４５４は、暖機判定部４５２により所定期間における判定が行われたときの光検出部７の検出信号の変動量に基づいて、暖機判定部４５２の次の判定における所定期間を決定する。
そのため、分光光度計１における暖機判定部４５２の判定のタイミング（所定期間の時間）を適切に保つことができる。
【００７２】
６．第３実施形態
図６は、本発明の第３実施形態に係る分光光度計１の制御部４５、及び、その周辺の部材の電気的構成を示したブロック図である。
上記した第１実施形態では、暖機判定部４５２が暖機完了を判定するタイミング（所定期間）は、予め定める一定時間ごとである。
対して、第３実施形態では、暖機判定部４５２が暖機完了を判定するタイミングは、基準時間に基づいて決定される。
【００７３】
具体的には、第３実施形態では、分光光度計１は、記憶部５０をさらに備えている。
記憶部５０は、例えば、ＲＯＭ（Read Only Memory）、ＲＡＭ（Random Access Memory）及びハードディスクなどにより構成されている。記憶部５０は、基準時間情報５０１を記憶している。基準時間情報５０１は、装置に固有の情報であって、暖機の完了の目安となる時間の情報（基準時間の情報）である。基準時間情報５０１は、予め、記憶部５０に記憶されている。
【００７４】
また、第３実施形態では、制御部４５は、期間決定部４５５としても機能する。
期間決定部４５５は、記憶部５０の基準時間情報５０１に基づいて、暖機判定部４５２の次の判定のタイミング（次の判定までの所定期間）を決定する。
【００７５】
分光光度計１において、暖機が行われる際には、制御部４５により上記の制御動作と同様の制御動作が行われる。ここで、第２実施形態では、図３のステップＳ１０４でＮＯの場合、ステップＳ１０５でＮＯの場合、及び、ステップＳ１０６でＮＯの場合のそれぞれで、期間決定部４５５により、暖機判定部４５２の次の判定のタイミング（次の判定までの所定期間）が決定される。
【００７６】
具体的には、期間決定部４５５は、記憶部５０の基準時間情報５０１を読み出すとともに、基準時間情報５０１が示す時点（基準時間）までの期間を算出する。そして、期間決定部４５５は、基準時間情報５０１が示す時点（基準時間）までの期間が長い場合には、暖機判定部４５２の次の判定のタイミング（次の判定までの所定期間）を長くし、基準時間情報５０１が示す時点（基準時間）までの期間が短い場合には、暖機判定部４５２の次の判定のタイミング（次の判定までの所定期間）を短くする決定を行う。そして、ステップＳ１０３では、期間決定部４５４が決定した期間が経過するか否かが判定される。
【００７７】
このように、第３実施形態によれば、期間決定部４５５は、基準時間情報５０１が示す時点（基準時間）に近づくほど短い期間となるように所定期間を決定する。
そのため、期間決定部４５５によって、暖機判定部４５２の次の判定における所定期間を適切に決定できる。
【００７８】
７．変形例
以上の実施形態では、表示部４４及び制御部４５は、分光光度計１に備えられるとして説明した。しかし、表示部４４及び制御部４５を備える演算処理装置を別途設け、この演算処理装置において、上記した制御動作を行ってもよい。すなわち、上記した暖機判定方法を、別途設ける演算処理装置を用いて行ってもよい。この場合、暖機が完了した場合には、演算処理装置の表示部で暖機完了の旨が表示されることが好ましい。
【００７９】
また、以上の実施形態では、試料室５内に試料セル６がセットされない状態で暖機が行われるとして説明した。しかし、分光光度計１において、試料室５内に複数のミラーを配置し、試料室５内に入射した光がミラーで反射することで、試料セル６を迂回し、その後に光検出部７に入射する経路を選択できる構成であってもよい。この場合、試料室５内には、試料セル６を常時配置してもよい。
【００８０】
また、以上の実施形態では、暖機判定部４５２は、第１判定、第２判定及び第３判定のすべての判定を行うとして説明した。しかし、暖機判定部４５２は、これらの判定のうち、いずれか１つのみを行うものであってもよいし、いずれか２つのみを行うものであってもよい。さらには、各判定で用いる閾値は、ユーザにより設定可能であってもよい。
【００８１】
また、以上の実施形態では、光源部２は、重水素ランプ（Ｄ２ランプ）からなる第１光源２１と、タングステンランプ（ＷＩランプ）からなる第２光源２２とを備えるとして説明した。しかし、光源部２は、これら以外のランプを光源として備えてもよい。また、光源部２に備えられる光源は、２つに限らず、１つでもよいし、３つ以上であってもよい。さらに、光源部２の光源が１つである場合には、光源切替部３がない構成であってもよい。
【００８２】
また、暖機完了の判定処理は、装置の初回起動時のみ、装置起動直後から所定時間毎の判定を行うこととし、この初回の暖機完了時間を装置に記憶しておき、次回以降の装置起動時には前回の暖機完了時間をもとに、起動直後から一定間隔は本処理を省略し、前回の暖機完了時間の前後から判定処理を開始してもよい。また、複数の温度検出部が取り付け可能なものについては、複数個所に温度検出部を取り付け、その変動を監視するようにしてもよい。複数個所の温度を監視することで、より精度よく暖気の完了を判断することが出来る。
【符号の説明】
【００８３】
１        分光光度計
２        光源部
３        光源切替部
４        分光器
５        試料室
７        光検出部
２１      第１光源
２２      第２光源
３１      回転部
３２      切替ミラー
４１      入力値検出部
４２      温度検出部
４５      制御部
５０      記憶部
４５２    暖機判定部
４５４    期間決定部
４５５    期間決定部
５０１    基準時間情報
【図１】
2019113479.tif 000003
【図２】
2019113479.tif 000004
【図３】
2019113479.tif 000005
【図４】
2019113479.tif 000006
【図５】
2019113479.tif 000007
【図６】
2019113479.tif 000008
【手続補正書】
【提出日】平成30年7月30日(2018.7.30)
【手続補正１】
【補正対象書類名】特許請求の範囲
【補正対象項目名】全文
【補正方法】変更
【補正の内容】
【特許請求の範囲】
【請求項１】
試料に光を照射する光源部と、
前記光源部により光が照射された試料からの透過光又は反射光を検出する光検出部と、
前記光源部からの光を試料で透過又は反射させずに前記光検出部により検出したときの所定期間における検出信号の変動量に基づいて、暖機の完了を判定する暖機判定部とを備え、
前記暖機判定部は、前記所定期間が経過した時点での測定値と、その時点の前回の測定値との差が閾値未満となるか否かの判定を前記所定期間が経過するごとに行い、前記差が前記閾値未満となる状態が複数回継続することに基づいて、暖機の完了を判定することを特徴とする分析装置。
【請求項２】
前記暖機判定部は、前記所定期間に前記光源部に入力される電圧又は電流の変動量に基づいて、暖機の完了を判定することを特徴とする請求項１に記載の分析装置。
【請求項３】
前記光源部からの光を分光する分光器と、
前記分光器の温度を検出する温度検出部とをさらに備え、
前記暖機判定部は、前記所定期間に前記温度検出部により検出される温度の変動量に基づいて、暖機の完了を判定することを特徴とする請求項１又は２に記載の分析装置。
【請求項４】
前記暖機判定部により前記所定期間における判定が行われたときの前記検出信号の変動量に基づいて、前記暖機判定部の次の判定における前記所定期間を決定する期間決定部をさらに備えることを特徴とする請求項１〜３のいずれか一項に記載の分析装置。
【請求項５】
暖機の完了の目安となる基準時間を記憶する記憶部と、
前記基準時間に近づくほど短い期間となるように前記所定期間を決定する期間決定部とをさらに備えることを特徴とする請求項１〜３のいずれか一項に記載の分析装置。
【請求項６】
前記光源部は、重水素ランプからなる第１光源、及び、タングステンランプからなる第２光源を含み、
前記第１光源又は前記第２光源からの光を選択的に切り替えて前記光検出部に入射させる光源切替部をさらに備え、
前記所定期間においては、前記第１光源からの光が前記光検出部により検出されることを特徴とする請求項１〜５のいずれか一項に記載の分析装置。
【請求項７】
試料に光を照射する光源部と、前記光源部により光が照射された試料からの透過光又は反射光を検出する光検出部とを備える分析装置の暖機判定方法であって、
前記光源部からの光を試料で透過又は反射させずに前記光検出部により検出したときの所定期間における検出信号の変動量に基づいて、暖機の完了を判定するステップを含み、
前記判定するステップでは、前記所定期間が経過した時点での測定値と、その時点の前回の測定値との差が閾値未満となるか否かの判定を前記所定期間が経過するごとに行い、前記差が前記閾値未満となる状態が複数回継続することに基づいて、暖機の完了を判定することを特徴とする暖機判定方法。